(57)【要約】【課題】繰り返し使用が可能であるとともに汚れ因子を効率良く容器底面に堆積貯留させることができ、また汚れ因子が舞い上がることも殆どないものとする。【解決手段】小型電気機器の要洗浄部を受ける洗浄皿５と、要洗浄部の洗浄に際して上記洗浄皿内に供給される洗浄液を貯める容器７と、この容器内の洗浄液を上記洗浄皿に供給する洗浄液供給手段と、上記洗浄皿内の洗浄液を上記容器に戻す排出経路とを備える。上記容器は排出経路を通じて流入した洗浄液の流れを規制して汚れ因子を容器内に沈降堆積させるとともに沈降堆積した汚れ因子の舞上りや移動を防止する障壁体８を内部に備え、上記障壁体が容器に対して浮動または着脱可能である。【選択図】図１
2013230217.tif 000002
【特許請求の範囲】
【請求項１】
小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えた小型電気機器の洗浄装置であって、
上記容器は排出経路を通じて流入した洗浄液の流れを規制して汚れ因子を容器内に沈降堆積させるとともに沈降堆積した汚れ因子の舞上りや移動を防止する障壁体を内部に備え、上記障壁体が容器に対して浮動または着脱可能であることを特徴とする小型電気機器の洗浄装置。
【請求項２】
上記洗浄液供給手段における洗浄液吸い込み部が上記障壁体よりも上方にあることを特徴とする請求項１記載の小型電気機器の洗浄装置。
【請求項３】
上記障壁体は、汚れ因子を沈降通過させるための貫通穴を有する板状部材であることを特徴とする請求項１または２記載の小型電気機器の洗浄装置。
【請求項４】
上記障壁体はその下面部と容器底面との間に隙間を有して配されたものであることを特徴とする請求項１から３のいずれか１項に記載の小型電気機器の洗浄装置。
【請求項５】
上記障壁体の下面の一部または全部と、容器底面と接触していることを特徴とする請求項１から３のいずれか１項に記載の小型電気機器の洗浄装置。
【請求項６】
上記障壁体の貫通孔は、容器内流れの上流側で開口率が大であり、下流側で開口率が小であることを特徴とする請求項３記載の小型電気機器の洗浄装置。
【請求項７】
上記障壁体の上記容器内壁に接する端部に形成された貫通孔が上記内壁側の下面にオーバーハング部を有していないことを特徴とする請求項１から６のいずれか１項に記載の小型電気機器の洗浄装置。
【請求項８】
上記容器はその底面に上記障壁体を受ける壁体を備えていることを特徴とする請求項１から７のいずれかに記載の小型電気機器の洗浄装置。
【請求項９】
上記容器はその内部に上記障壁体に係合して上記障壁体の浮き止めを行う係合部を備えていることを特徴とする請求項１から８のいずれか１項に記載の小型電気機器の洗浄装置。
【請求項１０】
上記容器はその内壁の一部または全周が上方に向けて開口していることを特徴とする請求項１から９のいずれか１項に記載の小型電気機器の洗浄装置。
【請求項１１】
上記障壁体は取っ手を備えていることを特徴とする請求項１から１０のいずれか１項に記載の小型電気機器の洗浄装置。
【請求項１２】
上記取っ手が傾動または伸縮可能であることを特徴とする請求項１１記載の小型電気機器の洗浄装置。
【請求項１３】
上記取っ手はその傾動または伸縮が容器の着脱操作に応じてなされるものであることを特徴とする請求項１２記載の小型電気機器の洗浄装置。
【請求項１４】
上記取っ手が上記障壁体に対して着脱自在であることを特徴とする請求項１１〜１３のいずれか１項に記載の小型電気機器の洗浄装置。
【請求項１５】
上記容器は上記洗浄液供給手段における洗浄液吸い込み部と対向する部分にフィルター要素を備えていることを特徴とする請求項２記載の小型電気機器の洗浄装置。
【発明の詳細な説明】
【技術分野】
【０００１】
本発明は、電気かみそりや脱毛器のような定期的に洗浄を必要とする小型電気機器の洗浄装置に関するものである。
【背景技術】
【０００２】
小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えた小型電気機器の洗浄装置がある。
【０００３】
この種の洗浄装置では、容器内の洗浄液を洗浄皿との間で循環させるために、容器内に戻ってくる汚れ因子が混じった洗浄液から汚れ因子を除去した後、洗浄皿へ供給することになる。
【０００４】
このために特許文献１，２においては、容器内に汚れ因子を捕獲する濾過手段を配置し、濾過手段が汚れた時には、容器全体もしくは濾過手段を交換するものとしている。しかし、昨今の環境保護等の観点より、消耗部品に対しても材料の減量化、再使用、再利用が望まれており、この点からは容器あるいは濾過手段を繰り返し使用することが望ましい。
【０００５】
特許文献３では容器底部に設置した隔壁部に汚れ因子（毛髪切断残屑）を堆積させるために要交換部品は存在しないが、容器隔壁部に堆積した毛髪切断残屑の掃除が困難である上に、容器が洗浄皿を兼ねている構成であるために、堆積した汚れ因子が洗浄中に舞い上がってシェーバーヘッドに残着する可能性がある。
【先行技術文献】
【特許文献】
【０００６】
【特許文献１】特開２００８−３０２０９３号公報
【特許文献２】特表２００９−５０４２９９号公報
【特許文献３】特表２００８−５０９７７２号公報
【発明の概要】
【発明が解決しようとする課題】
【０００７】
本発明は上記問題に鑑みてなされたもので、繰り返し使用が可能である上に、洗浄皿から容器へと排出された洗浄液に含まれる汚れ因子を効率良く容器底面に堆積貯留させることができ、また汚れ因子が舞い上がることも殆どない小型電気機器の洗浄装置を提供することを課題とする。
【課題を解決するための手段】
【０００８】
本発明にかかる小型電気機器の洗浄装置は、小型電気機器の要洗浄部を受ける洗浄皿と、要洗浄部の洗浄に際して上記洗浄皿内に供給される洗浄液を貯める容器と、この容器内の洗浄液を上記洗浄皿に供給する洗浄液供給手段と、上記洗浄皿内の洗浄液を上記容器に戻す排出経路とを備えたものにおいて、上記容器は排出経路を通じて流入した洗浄液の流れを規制して汚れ因子を容器内に沈降堆積させるとともに沈降堆積した汚れ因子の舞上りや移動を防止する障壁体を内部に備え、上記障壁体が容器に対して浮動または着脱可能であることに特徴を有している。
【０００９】
上記洗浄液供給手段における洗浄液吸い込み部は上記障壁体よりも上方にあることが好ましく、また、汚れ因子を沈降通過させるための貫通穴を有する板状部材であることが好ましい。
【００１０】
上記障壁体はその下面部と容器底面との間に隙間を有して配されたものであること、あるいは上記障壁体の下面の一部または全部と、容器底面と接触していることが好ましい。      
【００１１】
上記障壁体が貫通孔を備える場合、該貫通孔は容器内流れの上流側で開口率が大であり、下流側で開口率が小であることが好ましい。
【００１２】
上記障壁体の上記容器内壁に接する端部に形成された貫通孔が上記内壁側の下面にオーバーハング部を有していないことも好ましい。
【００１３】
上記容器はその底面に上記障壁体を受ける壁体を備えていてもよい。
【００１４】
上記容器はその内部に上記障壁体に係合して上記障壁体の浮き止めを行う係合部を備えていてもよい。
【００１５】
また、上記容器はその内壁の一部または全周が上方に向けて開口していることが好ましい。
【００１６】
上記障壁体は取っ手を備えていることが好ましく、この取っ手は傾動または伸縮可能であること、さらにはその傾動または伸縮が容器の着脱操作に応じてなされるものであることが好ましい。
【００１７】
上記取っ手は上記障壁体に対して着脱自在であってもよい。
【００１８】
そして、上記容器は上記洗浄液供給手段における洗浄液吸い込み部と対向する部分にフィルター要素を備えていることが好ましい。
【発明の効果】
【００１９】
本発明においては、容器内に設けた障壁体で汚れ因子を沈降堆積させる上に、障壁体を容器に対して浮動または着脱可能としているために、堆積した汚れ因子を簡便に洗い流すことができるものであり、このために容器及び障壁体の繰り返し使用が可能で、消耗部品の減量化に伴うランニングコスト低減が享受できることとなる。
【図面の簡単な説明】
【００２０】
【図１】本発明の実施の形態の一例の断面図（図６中のＬ−Ｌ線断面図）である。
【図２】同上の斜視図である。
【図３】同上の引き上げた状態の斜視図である。
【図４】同上の分解斜視図である。
【図５】同上の分解斜視図である。
【図６】同上の天面カバー及びサポート台を外した状態の平面図である。
【図７】図６中のＮ−Ｎ線の断面図である。
【図８】同上の洗浄皿の側面図である。
【図９】同上の洗浄皿の平面図である。
【図１０】同上の洗浄皿の斜視図である。
【図１１】同上の容器と障壁体の分解斜視図である。
【図１２】同上の容器と障壁体の破断斜視図である。
【図１３】(a)(b)(c)(d)(d)は同上の容器と障壁体の平面図とｌ−ｌ線断面図とｇ−ｇ線断面図とｆ−ｆ線断面図とｈ−ｈ線断面図である。
【図１４】同上の障壁体の斜視図である。
【図１５】(a)(b)(c)(d)(d)は同上の障壁体の平面図と正面図と右側面図と左側面図と背面図である。
【図１６】(a)(b)(c)は夫々他例における容器と障壁体の部分断面図である。
【発明を実施するための形態】
【００２１】
以下本発明を図示実施例に基づいて詳述すると、図示例の洗浄装置１は、往復式電気かみそりである小型電気機器Ｅの刃ヘッド部を洗浄するためのもので、小型電気機器Ｅを倒立させた状態でその刃ヘッド部を差し込むための開口部２０を上面に備えている。
【００２２】
上記洗浄装置１は、図２と図４及び図５に示すように、その内部に洗浄皿５と、洗浄液を蓄える容器７と、洗浄液を容器７と洗浄皿５との間で循環させるポンプＰと、洗浄後の刃ヘッド部を乾燥させるためのヒータユニットＨ及びモータファンＦを備え、さらに上部後方側には小型電気機器Ｅとの間の電気的接続用の接続部を備えるサポート部Ｓを有している。
【００２３】
洗浄液を入れた容器７を洗浄装置１にセットし、上記開口部２０を通じて洗浄皿５内に小型電気機器Ｅの刃ヘッド部を位置させると同時に、上記サポート部Ｓの接続部で小型電気機器Ｅと洗浄装置１とを電気的に接続し、この状態でポンプＰを作動させれば、ポンプＰが容器７内の洗浄液を洗浄皿５内に供給する。洗浄皿５に設けた越流堰５４を超えた洗浄液は洗浄皿５の下方に位置する容器７内に戻る。この洗浄中は上記接続部を通じた給電及び信号の送信によって小型電気機器Ｅにおける刃ヘッド部を作動させることで、刃ヘッド部の洗浄をより迅速に且つ効果的に行うことができる。
【００２４】
次に各部について図４及び図５に基づき詳述すると、洗浄装置１は、底板１１と、この底板１１に対して上下動が可能なベース基板１２、ベース基板１２上に設置される支持枠１３、支持枠１３の上縁によって四周上縁が支持される前記洗浄皿５、上記開口部２０を備える天面カバー２、前記接続部が取り付けられるサポート台６、側面を覆う側面カバー１５、前面に配される前面カバー１６等からなる。
【００２５】
前記底板１１はその左右両側から夫々ガイド支柱１１０，１１０を立設しており、前記ベース基板１２はこのガイド支柱１１０に沿って上下動自在となっている。また、底板１１のガイド支柱１１０内に配されたばね１１２を備える押し上げ棒１１１により、ベース基板１２は上方に向けて付勢されている。
【００２６】
ベース基板１２上にはスイッチプレート３１が左右にスライド自在に配されている。ばね３２によって一方向に付勢されているとともに一端を側面カバー１５から外部に露出させているスイッチプレート３１は、前記ガイド支柱１１０上端に形成されたフック部１１５との係合部を備えており、ばね３２の付勢に抗してスイッチプレート３１を押し込めば、フック部１１５との係合が外れるためにベース基板１２は前記ばね１１２の付勢を受けて上動する。ベース基板１２を下方に押し込めば、フック部１１５にスイッチプレート３１が再係合するために、ベース基板１２は押し下げられた状態を保持する。
【００２７】
ベース基板１２は、下方に突出する筒状のモータカバー部１２０を備えて、該モータカバー部１２０内にモータケース１２１を介してモータＭを収容している。モータカバー部１２０の底面よりＭ字型シール１２２を介して下方に突出するモータ出力軸には、図１２にも示すように、羽根車１２３が取り付けられ、羽根車１２３の周囲は底部中央部に吸い込み口が開口するポンプカバー１２４が取り付けられている。なお、羽根車１２３が回転する時、ポンプカバー１２４の吸い込み口から吸引された洗浄液は、モータカバー部１２０に一体に設けた供給管１２６を通じて洗浄皿５の後述する給排水口５６へと送られる。
【００２８】
モータカバー部１２０の外周側には、３本の水位検知ピン２４，２５，２６を配設してある。容器７内の洗浄液中に浸漬することになるこれら３本の水位検知ピン２４，２５，２６は、これらの間の電気抵抗値によって洗浄液の水位を検知する。つまりは洗浄液が導電性を有するために水位検知ピン２４，２５間、及び水位検知ピン２４，２６間に洗浄液がない時は電気抵抗値が所定の値より大きくなることを利用して水位を検知する。
【００２９】
ベース基板１２上には支持枠１３を介して洗浄皿５が配設される。軟質材、たとえばゴムによって形成された洗浄皿５は、その上縁から外周側に突出して先端が下方側に折り返された折り返し部５０を備えている。該折り返し部５０を支持枠１３上縁に被せた状態で、天面カバー２を組み付ければ、天面カバー２と支持枠１３との間で洗浄皿５の上縁が圧縮されて、この部分の防水が保たれる。
【００３０】
洗浄皿５は、図８〜図１０にも示すように、その内部に越流堰５４を備えて、該越流堰５４の前部側を洗浄部５２，後部側をオーバーフロー部５３に仕切っている。洗浄部５２は小型電気機器Ｅの刃ヘッド部を収める部分で、越流堰５４側の壁面に一体に設けたリブ５５、洗浄皿５の内面に配置されるヘッドガイド３５の支持部３６との間で刃ヘッド部の前後方向の位置決めを行う。また、洗浄皿５の底面には複数条の凸帯５９が設けられており、この凸帯５９によって刃ヘッド部は底面から少し浮かされた状態で支持される。
【００３１】
洗浄皿５の洗浄部５２はその最低部に給排水口５６を備え、オーバーフロー部５３に２つの排水口５７，５８を備えている。給排水口５６は、ベース基台１２に設けられた接続管１２６を介してポンプＰに接続される。排水口５７，５８はベース基台１２に設けられた接続管１２７，１２８に接続される。なお、これら接続管１２７，１２８は洗浄液を蓄える容器７の直上に位置し、排水口５７，５８を通る排水は接続管１２７，１２８を通じて容器７に戻される。
【００３２】
ここで、２つの排水口５７，５８のうち、上面開口部が低い位置にある排水口５７が洗浄液を循環させるための排水を担う。上面開口部が高く且つ排水口５７よりも越流堰５４から遠い位置にある排水口５８は、排水口５７が何らかの原因で詰まったりしてその機能を果たせなくなった際の非常用である。このために、オーバーフロー部５３の底面は、片側に位置する排水口５７に向かって下り傾斜している傾斜面としてある。
【００３３】
洗浄皿５の前縁の一側に設けた袋形状の壁体５００で囲まれた部分は、動作指示用のセレクト釦２９の配置用であり、天面カバー２上に露出するセレクト釦２９の操作はスイッチ棒２９０（図５参照）を介してスイッチ基板２７（図４参照）のスイッチを駆動する。このために、セレクト釦２９で洗浄装置１の動作を指示することができ、この時、スイッチ基板２７に設けた動作表示用の表示ランプが導光板２８を介して天面カバー２上に指示に応じた表示を行う。なお、表示ランプには容器７内の水量表示用のものも設けている。
【００３４】
天面カバー２が有する背部カバー２３によって背面側が覆われるとともに、背部カバー２３とでサポート部Ｓを構成するサポート台６は、ばね３７によって接点部支持部材３８を介して前方に向けて個別に付勢された複数の接点部３９を備える。接点部３９はサポート台６の前面よりも突出しない状態でサポート台６前面に露出する。
【００３５】
接点部３９の上方には、小型電気機器Ｅの吸着用としての磁石４３とヨーク４４とが設置されている。洗浄皿５に刃ヘッド部を嵌め込んだ時、小型電気機器Ｅは磁石４３による磁気吸着でサポート部Ｓに引きつけられ、小型電気機器Ｅが備える端子部Ｅｂが接点部３９に接触するとともに端子部Ｅｂが接点部３９をばね３７に抗して押し込むことで接点圧を確保する状態が保持される。なお、接点部３９と端子部Ｅｂとの接触により、小型電気機器Ｅへの給電や洗浄装置１から小型電気機器Ｅへの信号伝達が可能な状態となる。
【００３６】
サポート部Ｓ内に配されて、複数の接点部３９と接する本体検知板４２は、小型電気機器Ｅが装着されて接点部３９が後退した時に接点部３９から離れることで、小型電気機器Ｅが洗浄装置１に装着されたことを検出するためのものである。
【００３７】
サポート台６の下部には背面側にモータファンＦが装着される吹き出し口６６が設けられている。この吹き出し口６６部分の下縁は、前記洗浄皿５の後部上縁の上に載る。モータファンＦは洗浄装置１の背面に位置する吸込み口１５０から空気を吸い込み、吹き出し口６６から小型電気機器Ｅの刃ヘッド部に向けて送風する。このためにモータファンＦの吹出し口６６は刃ヘッド部に向かって上方から送風して乾燥できるように斜め下方に向けられており、さらに効率良く風向きを変えるための整流板６７を備えている。
【００３８】
洗浄皿５の洗浄部５２の裏面（下面）側には加熱のためのヒータ機構Ｈが設置されている。ヒータ線とヒータ板、ヒータ基台、温度制御用の温度検出器と異常加熱時の保護部品とを備える（図示せず）ヒータ機構Ｈは、ヒータ線からヒータ板、洗浄皿５、洗浄皿５の凸帯５９を通じて刃ヘッド部に熱を伝達し、洗浄後の刃ヘッド部の乾燥を促す。
【００３９】
ベース基台１２上に支持枠１３を介して洗浄皿５及び天面カバー２が組み付けられ、これらの外周を囲むように側面カバー１５と前部カバー１６とが取り付けられる。従って、前記底板１１に対してベース基台１２を上下動させる時、底板１１と、底板１１上に着脱自在に設置される容器７を除く他の部材は全てベース基台１２と一体に上下動を行う。この上下動は、底板１１上に配置する容器７の着脱操作のためである。
【００４０】
次に容器７とこの容器７内に着脱自在に配される障壁体８について図１１以下に基づき説明する。底板１１上に設置される上面が開口した容器７は、後部側の横幅が前部側の横幅よりも狭くなっているカップ状であって、内壁には給水ライン７０が記されている。
【００４１】
障壁体８は、容器７の底面をほぼ覆うとともに各所に貫通穴８２，８３を有する平板状の底板部８０と、底板部８０から立ち上がる仕切り壁８１とを備えており、容器７内にはその底板部８０の周縁が容器７の内壁にほぼ接する状態で位置決めされて容器７内の底面近くに配設される。
【００４２】
また、障壁体８は底板部８０の外周部下面に設置されたリブ壁によって容器７底面から少し浮いた状態で設置されるために、底板部８０下面と容器７の底面との間には、微小な隙間７ｃが存在する。なお、リブ壁は底板部８０の下面全面にあって、貫通孔８２，８３を除く部分が容器７の底面に接するものであってもよい。もちろん、リブ壁は容器７の底面側から突出させたものであってもよい。
【００４３】
障壁体８はその仕切り壁８１の片側の空間に面するところに底板部８０から盛り上がる凸台部８４を備えている。側壁に孔を有している凸台部８４は、前記ポンプＰの吸い込み口（ポンプカバー１２４）の直下に位置する上面開口にフィルター８９が取り付けられる。また、洗浄皿５に送られた洗浄液の通常の戻りルートとなる前記排水口５６及び接続管１２６は、容器内における仕切り壁８２の他方の片側の空間７ａの直上に位置して、洗浄液を空間７ａに戻す。
【００４４】
障壁体８には、底板部８０に対して着脱自在となっている取っ手８６が設けられている。この取っ手８６は、容器７内から障壁体８を取り外す際に使用するもので、底板部８０に設けた軸部よって傾動自在となっているとともに、図示していないばねによって直立状態を維持するものとなっている。
【００４５】
小型電気機器Ｅの刃ヘッド部を洗浄するにあたっては、スイッチプレート３１を操作することで底板１１に対して全体を浮上させ、障壁体８を収めた容器７内に洗浄液を入れて底板１１上に容器７を設置する。この時、容器７は底板１１に設けたガイド板１１７によってガイドされ、さらに位置決め突起１１６によって位置決めされる。
【００４６】
そして洗浄装置１全体を押し下げれば、ベース基台１２に設けたポンプＰの下部が容器７内の洗浄液中に浸かる。また、この時にはベース基台１２の周部下面に取付枠１８で取り付けられたパッキン１７を、容器７の上縁に外周側に突出するものとして形成された鍔部７２とベース基台１２下面との間で挟持するために、この部分の防水がなされる。
【００４７】
上記のように洗浄液を入れた容器７をセットした洗浄装置１に対して、その上面の開口部２０を通じて小型電気機器Ｅの刃ヘッド部を洗浄皿５内に収めて小型電気機器Ｅの端子部をサポート部Ｓの接点部３９に接触させる。
【００４８】
この状態で外部電源に接続した洗浄装置１のセレクト釦２９を操作することで洗浄を開始させたならば、ポンプＰが作動して容器７内の洗浄液を接続管１２６及び給排水口５６を通じて洗浄皿５の洗浄部５２内に送り込む。そして洗浄皿５の越流堰５４を超えた洗浄液は、排水口５７と接続管１２７とを通じて容器７内に戻る。従って洗浄液は容器７内と洗浄皿５との間で循環する。この洗浄に際しては、サポート部Ｓを通じて小型電気機器Ｅの刃ヘッド部における刃を駆動することが好ましい。刃ヘッド部の洗浄をより効果的に且つ迅速に行うことができる。
【００４９】
ところで、洗浄皿５内の洗浄液は越流堰５４を超えてオーバーフロー部５３に入り、前述のように排水口５７及び接続管１２７から容器７内に戻るのであるが、この接続管１２７は、ポンプＰの吸い込み口が存在する空間７ｂとは仕切り壁８１で仕切られた空間７ａの直上に位置している。従って体毛等の汚れ因子を含んだ洗浄液は、仕切り壁８１を迂回して空間７ｂに向かうことになる。
【００５０】
この空間７ａから空間７ｂへと向かう緩速の流れの途中で汚れ因子は沈降し、貫通孔８２，８３を通じて障壁体８の底板部８０下面と容器７底面との間の隙間７ｃに沈降堆積する。従って、いったん沈降堆積した汚れ因子は、底板部８０よりも上方側にあるポンプＰの吸い込み口から吸い込まれて洗浄皿５に向かうことは殆どない。これは吸い込み口近辺における流体抵抗の関係から底板部８２よりも上部の洗浄液を支配的に吸い込むことになるからである。
【００５１】
ここで、障壁体８の底板部８０は必ずしも略平板状の構造である必要はなく、貫通穴８２，８３が主体となった枠状の集合体でも良い。なお、底板部８０の貫通穴８２は、容器７内に流下した洗浄液から沈降する体毛等の汚れ因子を速やかに底板部８０の下方に導くことと、ポンプＰの吸い込み口へ底板部８０の下側から汚れ因子が吸引されて舞い上がる可能性を軽減するために、の開口率は、空間７ａに面するものの開口率を大とし、空間７ｂに面するとともに吸い込み口に対向する凸台部８４付近の貫通孔８２の開口率を小さくすることが望ましい。
【００５２】
また、容器７底面と障壁体８の底板部８０下面との間に必ずしも隙間７ｃが存在する必要はない。底板部８０下面が容器７底面に接していても、貫通孔８２の底に堆積した汚れ因子は浮き上がらないからである。
【００５３】
上記隙間７ｃを設けたことによる利点は、洗浄装置７から取り外した容器７を傾けて容器７底面に堆積した汚れ因子及び容器７内の洗浄液を捨てる際に、容器７を傾けるだけで底面を簡便に洗い流すことができることである。尚、この時に底板部８０の前端側にある貫通孔８３は他の部分の貫通孔８２よりも大きくして、排出動作をしやすくしているが、図１６(ａ）に示すように、貫通孔８３の容器７内壁側の縁を底板部８０の周壁内面と面一とすることで、上記縁がオーバーハング部を持たないものとしたり、図１６(b)に示すように、底板部８０の前端縁に至る切欠として形成すると、さらに効率よく洗い流すことができる。同じ理由で容器７の内壁上縁も上方に開口して引っ掛かりとなる部分がないようにしておくことが好ましい。
【００５４】
図１６中の７７は、容器７の内壁に設けられて底板部８０の周縁と係合することで障壁体８が浮き上がってしまうことを防ぐ係合部である。障壁体８を容器７から取り外すことに困難が生じないような係合としておくのはもちろんである。この浮き上がり防止は、障壁体８を収めた容器７を洗浄装置１に取り付けた時、洗浄装置１側の部材、たとえばベース基台１２が仕切り壁８１を押し下げることで行うようにしてもよい。
【００５５】
また、底板部８０と容器７の底面との間に隙間７ｃを形成するために、ここでは底板部８０周縁から周壁を垂下することで形成したが、容器７の底面に設けた壁体で底板部８０を受けることで隙間７ｃを形成してもよい。
【００５６】
なお、取っ手８６は、容器７を洗浄装置１内に収めた時、モータカバー部１２０に押されて倒れ、容器７を洗浄装置１から取り出せば、ばね付勢で立ち上がって上端部を洗浄液の液面より上方に突出させるために、容器７内部を洗い流すにあたって、取っ手８６を摘んで障壁体８を容器７から抜き出すことができるために、容器７底面に沈降堆積した汚れ因子や障壁体８の底板部８０下面に付着した汚れ因子を容易に洗い流すことができる。
【００５７】
障壁体８の底板部８０に設けた凸台部８に配しているメッシュ状のフィルター８９は、ポンプＰの吸い込み口への汚れ因子の吸引を更に防止するためのものであるが、メッシュの粗さはさほど細かいものでなくてもよい。体毛等より細かいメッシュに設定すれば、吸い込み口に吸い込まれる体毛等の汚れ因子を完全に排除することができるが、循環する洗浄液は、フィルター８９に到達するまでに汚れ因子は沈降堆積しているので殊更細かいものとする必要はない。
【００５８】
洗浄が終了してポンプＰが停止すれば、洗浄皿５内の洗浄部５２にある洗浄液は、自然落下によって給排水口５６から接続口１２６及びポンプＰ（の羽根車１２３とポンプカバー１２４との間の空間）を通じて容器７に戻る。羽根車１２３部分は容器７内の洗浄液に浸かっている状態である上に、洗浄終了時には洗浄部５２にある洗浄液は体毛等をほとんど含んでいないために、ポンプＰを通るとはいえ、詰まりを生じるようなことはない。また、洗浄動作中にオーバーフロー部５３における排水口５７が詰まるようなことがあっても、排水口５８が別に存在しているために、洗浄液が洗浄皿５から溢れ出してしまうことはない。
【００５９】
洗浄が終了して洗浄液が容器７内に回収された時点でモータファンＦ及びヒータＨに通電されて刃ヘッド部の乾燥が促される。
【００６０】
障壁体８として、容器７から取り外せる例を示したが、容器７の底面よりも少し上方に動かして浮かせることができるだけであっても、汚れ因子の洗い流しを効果的に行うことができる。
【符号の説明】
【００６１】
１  洗浄装置
５  洗浄皿
７  容器
８  障壁体
８０  底板部
８１  仕切り壁
【図１】
2013230217.tif 000003
【図２】
2013230217.tif 000004
【図３】
2013230217.tif 000005
【図４】
2013230217.tif 000006
【図５】
2013230217.tif 000007
【図６】
2013230217.tif 000008
【図７】
2013230217.tif 000009
【図８】
2013230217.tif 000010
【図９】
2013230217.tif 000011
【図１０】
2013230217.tif 000012
【図１１】
2013230217.tif 000013
【図１２】
2013230217.tif 000014
【図１３】
2013230217.tif 000015
【図１４】
2013230217.tif 000016
【図１５】
2013230217.tif 000017
【図１６】
2013230217.tif 000018